(57)【要約】【課題】セルフレジやセミセルフレジ等に適用される場合において、回収作業やメンテナンス作業等の安全性の向上を図ること。【解決手段】金銭が投入される入金口７１，７３と金銭を排出する出金口７２，７４とを有し、金銭の授受部位となる操作ユニット７０ａと、操作ユニット７０ａの後方に設けられ、入金口７１，７３から入金された金銭を取り込んで収納庫に振分収納する一方、出金指示が与えられた場合に収納庫から釣銭に相当する金銭を操作ユニット７０ａに搬送して出金口７２，７４から出金させる金銭処理ユニット７０ｂとを備えた金銭処理装置１１において、前面及び後面が開口した直方状の形態をなし、金銭処理ユニット７０ｂを内部に収納する本体部７０ｃを備え、本体部７０ｃは、金銭処理ユニット７０ｂの引出操作が行われた場合、後面の開口８２を通じてのみ該金銭処理ユニット７０ｂが引き出されることを許容する。【選択図】図６
2020177711.tif 000002
【特許請求の範囲】
【請求項１】
金銭が投入される入金口と金銭を排出する出金口とを有し、金銭の授受部位となる操作ユニットと、
前記操作ユニットの後方に設けられ、前記入金口から入金された金銭を取り込んで収納庫に振分収納する一方、出金指示が与えられた場合に前記収納庫から釣銭に相当する金銭を前記操作ユニットに搬送して前記出金口から出金させる金銭処理ユニットと
を備えた金銭処理装置において、
前面及び後面が開口した直方状の形態をなし、前記金銭処理ユニットを内部に収納する本体部を備え、
前記本体部は、前記金銭処理ユニットの引出操作が行われた場合、前記後面の開口を通じてのみ該金銭処理ユニットが引き出されることを許容することを特徴とする金銭処理装置。
【請求項２】
前記本体部は、前記金銭処理ユニットの引出操作が行われた場合、前記金銭処理ユニットが該本体部の外部に引き出された状態にさせることを特徴とする請求項１に記載の金銭処理装置。
【請求項３】
前記本体部は、前記金銭処理ユニットの引出操作が行われた場合、前記金銭処理ユニット及び前記操作ユニットが該本体部の外部に引き出された状態にさせることを特徴とする請求項１に記載の金銭処理装置。
【発明の詳細な説明】
【技術分野】
【０００１】
本発明は、金銭処理装置に関し、より詳細には、例えば釣銭機として利用される金銭処理装置に関するものである。
【背景技術】
【０００２】
昨今のスーパーマーケットやコンビニエンスストア等の店舗には、客さばきや現金管理の厳正化のため、自動釣銭機として金銭処理装置が設置されている。この金銭処理装置は、通常、ＰＯＳ（Ｐｏｉｎｔ  Ｏｆ  Ｓａｌｅｓ）レジスタ装置等の上位装置に接続されてレジスタシステムを構成しており、上位装置からの指令に応じて硬貨や紙幣等の金銭の入出金処理を行うものである。
【０００３】
かかる金銭処理装置は、操作ユニットと金銭処理ユニットとを有している。操作ユニットは、金銭が投入される入金口と金銭を排出する出金口とを有しており、金銭の授受部位である。金銭処理ユニットは、入金口から入金された金銭を取り込んで収納庫に振分収納する一方、出金指示が与えられた場合に収納庫から釣銭に相当する金銭を操作ユニットに搬送して出金口から出金させるものである。このような金銭処理装置は、操作ユニットが操作者である店舗の店員を向いているのが一般的であり、金銭の補充作業や回収作業、あるいは金銭の詰まり解除等のメンテナンス作業等は、操作ユニット側から行われることになる（例えば、特許文献１参照）。
【先行技術文献】
【特許文献】
【０００４】
【特許文献１】特開２０１５−２２５６１４号公報
【発明の概要】
【発明が解決しようとする課題】
【０００５】
ところで、近年、店舗等において、購入商品の登録と金銭授受を顧客自身が実施するセルフレジや、購入商品の登録は店員が行って金銭授受のみ顧客が実施するセミセルフレジが、店舗の効率向上等により、急速に普及している。
【０００６】
上述した金銭処理装置をセルフレジやセミセルフレジのレジスタシステムに適用すると、操作ユニットが顧客を向いた状態で設置されてしまう。
【０００７】
そのため、セルフレジやセミセルフレジにおいて上記金銭処理装置に対して回収作業やメンテナンス作業等を施す場合には、作業者が顧客側から行う必要があり、店舗の顧客等に金銭が見えてしまい、防犯上好ましくない。
【０００８】
本発明は、上記実情に鑑みて、セルフレジやセミセルフレジ等に適用される場合において、回収作業やメンテナンス作業等の安全性の向上を図ることができる金銭処理装置を提供することを目的とする。
【課題を解決するための手段】
【０００９】
上記目的を達成するために、本発明に係る金銭処理装置は、金銭が投入される入金口と金銭を排出する出金口とを有し、金銭の授受部位となる操作ユニットと、前記操作ユニットの後方に設けられ、前記入金口から入金された金銭を取り込んで収納庫に振分収納する一方、出金指示が与えられた場合に前記収納庫から釣銭に相当する金銭を前記操作ユニットに搬送して前記出金口から出金させる金銭処理ユニットとを備えた金銭処理装置において、前面及び後面が開口した直方状の形態をなし、前記金銭処理ユニットを内部に収納する本体部を備え、前記本体部は、前記金銭処理ユニットの引出操作が行われた場合、前記後面を通じてのみ該金銭処理ユニットが引き出されることを許容することを特徴とする。
【００１０】
また本発明は、上記金銭処理装置において、前記本体部は、前記金銭処理ユニットの引出操作が行われた場合、前記金銭処理ユニットが該本体部の外部に引き出された状態にさせることを特徴とする。
【００１１】
また本発明は、上記金銭処理装置において、前記本体部は、前記金銭処理ユニットの引出操作が行われた場合、前記金銭処理ユニット及び前記操作ユニットが該本体部の外部に引き出された状態にさせることを特徴とする。
【発明の効果】
【００１２】
本発明によれば、本体部が、金銭処理ユニットの引出操作が行われた場合、後面の開口を通じてのみ該金銭処理ユニットが引き出されることを許容するので、操作ユニットが顧客側を臨む態様でセルフレジやセミセルフレジを構成する場合に、金銭処理ユニットにおける金銭の補充作業や回収作業、金銭の詰まり解除等のメンテナンス作業を行う際には、金銭処理ユニットを顧客側と反対側（後方側）に向けて引き出して、金銭処理ユニットを本体部の後面の開口から露出させればよい。これによれば、顧客側からは作業中に金銭が見られる可能性を低くすることができる。従って、セルフレジやセミセルフレジ等に適用される場合において、回収作業やメンテナンス作業等の安全性の向上を図ることができるという効果を奏する。
【図面の簡単な説明】
【００１３】
【図１】図１は、本発明の実施の形態１である金銭処理装置が適用されたレジスタシステムを示す斜視図である。
【図２】図２は、図１に示した金銭処理装置の要部の内部構造を上方から見た場合を模式的に示す模式図である。
【図３】図３は、図１に示した金銭処理装置の要部の内部構造を側方から見た場合を模式的に示す模式図である。
【図４】図４は、図１に示した金銭処理装置の要部の内部構造を側方から見た場合を模式的に示す模式図である。
【図５】図５は、図１〜図４に示した金銭処理装置の適用例を示す説明図である。
【図６】図６は、本発明の実施の形態２である金銭処理装置を模式的に示す説明図である。
【図７】図７は、図６に示した金銭処理装置を通常状態を示す斜視図である。
【図８】図８は、図６及び図７に示した金銭処理装置の適用例を示す説明図である。
【図９】図９は、図８に示した金銭処理装置の金銭処理ユニットを後方側に引き出した場合を示す説明図である。
【図１０】図１０は、図７に示した金銭処理装置の金銭処理ユニットを後方側に引き出した場合を示す斜視図である。
【図１１】図１１は、図６及び図７に示した金銭処理装置の変形例を示す斜視図である。
【発明を実施するための形態】
【００１４】
以下に添付図面を参照して、本発明に係る金銭処理装置の好適な実施の形態について詳細に説明する。
【００１５】
＜実施の形態１＞
図１は、本発明の実施の形態１である金銭処理装置が適用されたレジスタシステムを示す斜視図である。ここで例示するレジスタシステムは、例えばスーパーマーケットやコンビニエンスストア等の店舗に利用されるものであり、自動釣銭機として用いられる金銭処理装置１０を備えている。
【００１６】
金銭処理装置１０は、通信線Ｎを介して上位装置であるＰＯＳレジスタ装置１に接続されており、操作ユニット２０ａ、金銭処理ユニット２０ｂ及び補充回収ユニット２０ｃを備えて構成されている。
【００１７】
操作ユニット２０ａは、金銭処理装置１０の前方部分を構成するものであり、硬貨入金口２１、硬貨出金口２２、硬貨返却口２３、紙幣入金口２４、紙幣出金口２５及び操作表示部２６を有している。
【００１８】
硬貨入金口２１は、硬貨が投入される開口である。硬貨出金口２２は、硬貨を外部の受皿２７に排出する開口である。硬貨返却口２３は、硬貨を返却する開口である。紙幣入金口２４は、紙幣が投入される開口である。紙幣出金口２５は、紙幣を外部に排出する開口である。
【００１９】
操作表示部２６は、表示部２６ａ及び操作部２６ｂを有している。表示部２６ａは、金種毎の金銭の収納状況等の各種の表示を行う部分である。操作部２６ｂは、操作者が各種指令を入力するためのもので、例えば複数の押ボタンスイッチによって構成してある。
【００２０】
金銭処理ユニット２０ｂは、操作ユニット２０ａの後方側に設けられており、硬貨処理ユニット３０及び紙幣処理ユニット４０を備えている。
【００２１】
硬貨処理ユニット３０は、図２及び図３にも示すように、硬貨入金口２１、硬貨出金口２２及び硬貨返却口２３の後方に設けられており、入金搬送機構３１、硬貨識別センサ３２、硬貨用収納庫３３、振分搬送機構３４及び出金搬送機構３５を備えている。
【００２２】
入金搬送機構３１は、硬貨入金口２１を通じて投入された硬貨を搬送するものである。硬貨識別センサ３２は、入金搬送機構３１により搬送される硬貨の真贋及び金種を判定するものである。
【００２３】
硬貨用収納庫３３は、金種毎に設けられて対象となる金種の硬貨を収納する１円硬貨収納庫３３ａ、５０円硬貨収納庫３３ｂ、５円硬貨収納庫３３ｃ、１００円硬貨収納庫３３ｄ、１０円硬貨収納庫３３ｅ及び５００円硬貨収納庫３３ｆと、硬貨を一時的に保留する一時保留庫３３ｇとを備えている。
【００２４】
振分搬送機構３４は、一時保留庫３３ｇに保留された硬貨を搬送するもので、前方に向けて搬送する場合には、一時保留庫３３ｇに保留された硬貨を硬貨返却口２３に搬送する一方、後方に向けて搬送する場合には、一時保留庫３３ｇに保留された硬貨を各硬貨収納庫３３ａ等に搬送するものである。
【００２５】
出金搬送機構３５は、前方又は後方に向けて硬貨を搬送するものである。この出金搬送機構３５は、出金振分ゲート３６が一時保留庫３３ｇ側へ切り替えられている場合には、搬送する硬貨を一時保留庫３３ｇに搬送する一方、出金振分ゲート３６が硬貨出金口２２側へ切り替えられている場合には、搬送する硬貨を硬貨出金口２２に搬送するものである。
【００２６】
紙幣処理ユニット４０は、図４に示すように、紙幣搬送機構４１、紙幣鑑別センサ４２及び紙幣収納庫４３を備えている。
【００２７】
紙幣搬送機構４１は、紙幣を搬送するものである。紙幣鑑別センサ４２は、紙幣搬送機構４１により搬送される紙幣、より具体的には、紙幣入金口２４より投入されて紙幣搬送機構４１により搬送される紙幣の真贋及び金種を判定するものである。
【００２８】
紙幣収納庫４３は、精査庫４３ａ、１０００円紙幣収納庫４３ｂ、混合紙幣収納庫４３ｃを備えている。精査庫４３ａは、１０００円紙幣収納庫４３ｂ、混合紙幣収納庫４３ｃに収納された紙幣を一旦空にして各紙幣収納庫４３の収納枚数を再計数する際に一時収納する収納庫である。１０００円紙幣収納庫４３ｂは、１０００円紙幣を収納するものである。この１０００円紙幣収納庫４３ｂの上流側部分には一時保留庫４４が分割構成されている。混合紙幣収納庫４３ｃは、１０００円紙幣以外の紙幣を収納するものである。この混合紙幣収納庫４３ｃの上流側部分には一時保留庫４４が分割構成されている。
【００２９】
補充回収ユニット２０ｃは、金銭処理ユニット２０ｂの後方側に設けられており、硬貨補充回収ユニット５０及び紙幣補充回収ユニット６０を備えている。
【００３０】
硬貨補充回収ユニット５０は、図２及び図３に示したように、硬貨処理ユニット３０の後方側に設けられており、硬貨補充部５１及び硬貨回収庫５２を備えている。硬貨補充部５１は、補充指令が与えられた場合に駆動して硬貨処理ユニット３０に対して硬貨を補充するものであり、例えば搬送ベルト等の搬送機構により構成されている。
【００３１】
硬貨回収庫５２は、回収指令が与えられて出金搬送機構３５が後方に向けて駆動する場合に、各硬貨収納庫３３ａ等に収納された硬貨を回収するものである。このような硬貨補充回収ユニット５０は、硬貨処理ユニット３０に対して着脱可能に設けられており、図には明示しないが、硬貨の補充や回収を行う際に開閉する扉体が設けられている。
【００３２】
紙幣補充回収ユニット６０は、図４に示したように、紙幣処理ユニット４０の後方側に設けられており、補充回収庫６１を備えている。補充回収庫６１は、紙幣補充指令が与えられた場合には、収納される紙幣を紙幣搬送機構４１に繰り出す一方、紙幣回収指令が与えられた場合には、紙幣搬送機構４１により搬送される紙幣を収納して回収するものである。このような紙幣補充回収ユニット６０は、紙幣処理ユニット４０に対して着脱可能に設けられており、図には明示しないが、紙幣の補充や回収を行う際に開閉する扉体が設けられている。
【００３３】
このような構成を有する金銭処理装置１０の動作（硬貨の入金動作、硬貨の出金動作、硬貨の補充動作、硬貨の回収動作、紙幣の入金動作、紙幣の出金動作、紙幣の補充動作、紙幣の回収動作）について以下に簡単に説明する。
【００３４】
（硬貨の入金動作）
取引により硬貨が硬貨入金口２１より投入されると、該硬貨入金口２１は、顧客からの預かり金を一時保留する。このようにして一時保留された硬貨は、ＰＯＳレジスタ装置１からの入金許可指令を受けて図示せぬ投入検出センサによって検出された後に、入金搬送機構３１に搬送される。入金搬送機構３１により搬送される硬貨は、硬貨識別センサ３２により真贋及び金種が判定される。硬貨識別センサ３２により正貨であると判定された硬貨は一時保留庫３３ｇに保留される。一方、硬貨識別センサ３２により偽貨であると判定された硬貨は、硬貨出金口２２を通じて受皿２７に排出されて返却される。その後にＰＯＳレジスタ装置１より入金終了指令が与えられた場合、一時保留庫３３ｇに保留された硬貨は、振分搬送機構３４により搬送され、金種に応じて各硬貨収納庫３３ａ等に収納される。
【００３５】
（硬貨の出金動作）
ＰＯＳレジスタ装置１から出金指令が与えられた場合、出金振分ゲート３６を硬貨出金口２２側へ切り替えて出金搬送機構３５を前方に向けて駆動する。その後、各硬貨収納庫３３ａ等より所望の額の硬貨が出金搬送機構３５に繰り出されることにより、該硬貨が硬貨出金口２２に搬送されて該硬貨出金口２２を通じて受皿２７に排出されて出金される。
【００３６】
（硬貨の補充動作）
補充指令が与えられた場合、出金振分ゲート３６を一時保留庫３３ｇ側へ切り替えて出金搬送機構３５を前方に向けて駆動するとともに、振分搬送機構３４を後方に向けて駆動する。そして、硬貨補充部５１を前方に向けて駆動させて硬貨補充部５１の硬貨を出金搬送機構３５に供給する。これにより出金搬送機構３５に供給された硬貨は、一時保留庫３３ｇに搬送され、その後に振分搬送機構３４により各硬貨収納庫３３ａ等に収納される。
【００３７】
（硬貨の回収動作）
回収指令が与えられた場合、出金搬送機構３５を後方に向けて駆動させるとともに、各硬貨収納庫３３ａ等に収納された硬貨を出金搬送機構３５に繰り出させる。これにより、出金搬送機構３５に繰り出された硬貨は、後方に向けて搬送されて硬貨回収庫５２に回収される。
【００３８】
（紙幣の入金動作）
取引により紙幣が紙幣入金口２４より投入されると、該紙幣入金口２４は、顧客からの預かり金を一時保留する。このようにして一時保留された紙幣は、ＰＯＳレジスタ装置１からの入金許可指令を受けた後に、紙幣搬送機構４１に搬送される。紙幣搬送機構４１により搬送される紙幣は、紙幣鑑別センサ４２により真贋及び金種が判定される。紙幣鑑別センサ４２により正拳であると判定された紙幣は、金種に応じて紙幣収納庫４３における１０００円紙幣収納庫４３ｂ又は混合紙幣収納庫４３ｃの上流側部分に分割構成された一時保留庫４４に保留される。一方、紙幣鑑別センサ４２により偽券であると判定された紙幣は、紙幣出金口２５を通じて排出されて返却される。その後にＰＯＳレジスタ装置１より入金終了指令が与えられた場合、一時保留庫４４に保留された紙幣は、１０００円紙幣収納庫４３ｂ又は混合紙幣収納庫４３ｃに収納される。
【００３９】
（紙幣の出金動作）
ＰＯＳレジスタ装置１から出金指令が与えられた場合、各紙幣収納庫４３より所望の額の紙幣が紙幣搬送機構４１に繰り出されることにより、該紙幣が紙幣出金口２５に搬送されて該紙幣出金口２５を通じて出金される。
【００４０】
（紙幣の補充動作）
補充指令が与えられた場合、紙幣搬送機構４１を前方に向けて駆動するとともに、補充回収庫６１から紙幣搬送機構４１に紙幣を繰り出させる。このようにして補充回収庫６１から紙幣搬送機構４１に繰り出された紙幣は、精査庫４３ａに一旦搬送される。補充紙幣が全て精査庫４３ａに搬送された後に、紙幣搬送機構４１を後方に向けて駆動させ、精査庫４３ａより紙幣を紙幣搬送機構４１に繰り出させる。これにより、紙幣搬送機構４１に繰り出された紙幣は、その途中の紙幣判別部４５にて金種が判別されて各紙幣収納庫４３（１０００円紙幣収納庫４３ｂ、混合紙幣収納庫４３ｃ）に搬送されて該紙幣収納庫４３に収納される。
【００４１】
（紙幣の回収動作）
精査庫４３ａに収納された紙幣の回収指令が与えられた場合、紙幣搬送機構４１を後方に向けて駆動させ、精査庫４３ａに収納された紙幣を紙幣搬送機構４１に繰り出させる。これにより、紙幣搬送機構４１に繰り出された紙幣は、後方に向けて搬送されて補充回収庫６１に回収される。
【００４２】
一方、１０００円紙幣収納庫４３ｂや混合紙幣収納庫４３ｃに収納された紙幣の回収指令が与えられた場合、紙幣搬送機構４１を前方に向けて駆動させ、各紙幣収納庫４３ｂ等に収納された紙幣を紙幣搬送機構４１に繰り出させる。これにより、紙幣搬送機構４１に繰り出された紙幣は、前方に向けて搬送されて精査庫４３ａに収納される。このようにして回収対象となる紙幣が全て精査庫４３ａに収納された後に、紙幣搬送機構４１を後方に向けて駆動させ、精査庫４３ａに収納された紙幣を紙幣搬送機構４１に繰り出させる。これにより、紙幣搬送機構４１に繰り出された紙幣は、後方に向けて搬送されて補充回収庫６１に回収される。
【００４３】
以上説明した本実施の形態１である金銭処理装置１０においては、補充回収ユニット２０ｃが金銭処理ユニット２０ｂの後方に着脱可能に設けられているので、図５に示すように、操作ユニット２０ａが顧客側を臨む態様でレジ台２に設置される場合、顧客側と反対側に補充回収ユニット２０ｃが設置されることになる。
【００４４】
このような金銭処理装置１０によれば、金銭の補充作業や回収作業、金銭の詰まり解除等のメンテナンス作業を行う際は、補充回収ユニット２０ｃを金銭処理ユニット２０ｂから離脱させればよい。従って、セルフレジやセミセルフレジ等に適用される場合において、回収作業やメンテナンス作業等の安全性の向上を図ることができる。
【００４５】
＜実施の形態２＞
図６は、本発明の実施の形態２である金銭処理装置を模式的に示す説明図である。ここで例示する金銭処理装置１１は、実施の形態１である金銭処理装置１０と同様に、ＰＯＳレジスタ装置１とレジスタシステムを構成するものである。
【００４６】
かかる金銭処理装置１１は、操作ユニット７０ａ、金銭処理ユニット７０ｂ及び本体部７０ｃを備えて構成されている。
【００４７】
操作ユニット７０ａは、金銭処理装置１１の前方部分を構成するものであり、硬貨入金口７１、硬貨出金口７２、紙幣入金口７３、紙幣出金口７４及び紙幣回収庫７５を有している。
【００４８】
硬貨入金口７１は、硬貨が投入される開口である。硬貨出金口７２は、硬貨を排出する開口である。紙幣入金口７３は、紙幣が投入される開口である。紙幣出金口７４は、紙幣を外部に排出する開口である。紙幣回収庫７５は、回収指令が与えられることで回収した紙幣を収納するもので、前方に向けて引き出し可能な構成を有している。
【００４９】
金銭処理ユニット７０ｂは、操作ユニット７０ａの後方側に設けられた従来公知のものであり、硬貨処理ユニット７６と、紙幣処理ユニット７７とを備えている。
【００５０】
硬貨処理ユニット７６は、硬貨入金口７１から入金された硬貨を取り込んで硬貨収納庫に振分収納する一方、出金指示が与えられた場合に硬貨収納庫から釣銭に相当する硬貨を操作ユニット７０ａに搬送して硬貨出金口７２から出金させるものである。
【００５１】
紙幣処理ユニット７７は、紙幣入金口７３から入金された紙幣を取り込んで紙幣収納庫４３に振分収納する一方、出金指示が与えられた場合に紙幣収納庫４３から釣銭に相当する紙幣を操作ユニット７０ａに搬送して紙幣出金口７４から出金させるものである。
【００５２】
本体部７０ｃは、前面及び後面が開口した直方状の形態をなす筐体である。この本体部７０ｃの前面開口８１及び後面開口８２の幅Ｌ１は、操作ユニット７０ａの幅ｍ１及び金銭処理ユニット７０ｂの幅ｎ１より大きく、かつ前面開口８１及び後面開口８２の高さＬ２は、操作ユニット７０ａの高さｍ２及び金銭処理ユニット７０ｂの高さｎ２より大きい。
【００５３】
このような本体部７０ｃは、図７に示すように、操作ユニット７０ａが前面開口８１から露出された状態で金銭処理ユニット７０ｂを内部に収納するものである。かかる本体部７０ｃには、図示せぬ規制部が設けられている。規制部は、操作ユニット７０ａが前面開口８１から露出された状態より更に前方に引き出されることを規制するものである。
【００５４】
これにより、本体部７０ｃは、後面開口８２を通じてのみ金銭処理ユニット７０ｂが外部に引き出されることを許容するものである。
【００５５】
以上説明した本実施の形態２である金銭処理装置１１においては、図８に示すように、操作ユニット７０ａが顧客側を臨む態様でレジ台３に設置された場合において、金銭処理ユニット７０ｂにおける金銭の補充作業や回収作業、金銭の詰まり解除等のメンテナンス作業を行う際には、図９及び図１０に示すように、金銭処理ユニット７０ｂを操作ユニット７０ａとともに顧客側と反対側（後方側）に向けて引き出して、金銭処理ユニット７０ｂを本体部７０ｃの後面開口８２から露出させればよい。これによれば、顧客側からは作業中に金銭が見られる可能性を低くすることができる。従って、セルフレジやセミセルフレジ等に適用される場合において、回収作業やメンテナンス作業等の安全性の向上を図ることができる。
【００５６】
以上、本発明の好適な実施の形態１及び２について説明したが、本発明はこれらに限定されるものではなく、種々の変更を行うことができる。
【００５７】
上述した実施の形態１では、補充回収ユニット２０ｃが金銭処理ユニット７０ｂから着脱可能に構成されていたが、本発明においては、補充回収ユニットには、補充金種、補充枚数、回収金種、回収枚数等を記憶可能なメモリが内蔵されていてもよい。これによれば、補充回収ユニット２０ｃに金銭を収納した状態で金銭の補充作業及び回収作業を行うことが可能になり、回収作業やメンテナンス作業等において、金銭を露出させることがないので、これら作業の安全性の向上を図ることができる。
【００５８】
上述した実施の形態１では、補充回収ユニット２０ｃ（硬貨補充回収ユニット５０及び紙幣補充回収ユニット６０）が金銭処理ユニット２０ｂ（硬貨処理ユニット３０及び紙幣処理ユニット４０）に着脱可能に設けられていたが、本発明においては、補充回収ユニットは、金銭処理ユニットに固定されていてもよい。このような場合でも、扉体を開閉させることにより、硬貨や紙幣の補充及び回収を顧客側と反対側で行うことができ、回収作業やメンテナンス作業等の安全性の向上を図ることができる。尚、上記実施の形態１では、扉体が、硬貨補充回収ユニット及び紙幣補充回収ユニットのそれぞれに個別に設けられているものとして説明したが、本発明においては、硬貨補充回収ユニット及び紙幣補充回収ユニットの共通のものとして設けられていてもよく、更に錠前や電磁ロック等にて施錠されていてもよい。
【００５９】
上述した実施の形態２では、金銭処理ユニット７０ｂが操作ユニット７０ａとともに顧客側と反対側に引き出されて金銭処理ユニット７０ｂのみが外部に露出されるものであったが、本発明においては、図１１に示すように、金銭処理ユニット７０ｂは、レール機構８５を介して本体部７０ｃにスライド移動可能に設けられており、後方側にスライド移動する際には、操作ユニット７０ａとともに外部に露出されるようにしてもよい。
【００６０】
上述した実施の形態２では、金銭処理ユニット７０ｂが操作ユニット７０ａとともに顧客側と反対側に引き出されて外部に露出されるものであったが、本発明においては、本体部より外部に引き出された金銭処理ユニットを覆うカバー部材が設けられていてもよい。
【００６１】
上述した実施の形態２では、操作ユニット７０ａは、幅寸法及び高さ寸法が本体部７０ｃの前面及び後面の開口の幅寸法及び高さ寸法より小さいものであったが、本発明においては、操作ユニットの常態での高さ寸法及び幅寸法は、本体部の前面開口の幅寸法及び高さ寸法より大きく構成され、かつ金銭処理ユニットを後方側に引き出す際に、幅寸法及び高さ寸法を可変させて前面開口の幅寸法及び高さ寸法よりも小さくなる折り畳み可能な形状に構成されていてもよい。
【符号の説明】
【００６２】
１  ＰＯＳレジスタ装置
１０  金銭処理装置
２０ａ  操作ユニット
２０ｂ  金銭処理ユニット
２０ｃ  補充回収ユニット
２１  硬貨入金口
２２  硬貨出金口
２３  硬貨返却口
２４  紙幣入金口
２５  紙幣出金口
２６  操作表示部
３０  硬貨処理ユニット
３１  入金搬送機構
３２  硬貨識別センサ
３３  硬貨用収納庫
３４  振分搬送機構
３５  出金搬送機構
４０  紙幣処理ユニット
４１  紙幣搬送機構
４２  紙幣鑑別センサ
４３  紙幣収納庫
５０  硬貨補充回収ユニット
５１  硬貨補充部
５２  硬貨回収庫
６０  紙幣補充回収ユニット
６１  補充回収庫
【図１】
2020177711.tif 000003
【図２】
2020177711.tif 000004
【図３】
2020177711.tif 000005
【図４】
2020177711.tif 000006
【図５】
2020177711.tif 000007
【図６】
2020177711.tif 000008
【図７】
2020177711.tif 000009
【図８】
2020177711.tif 000010
【図９】
2020177711.tif 000011
【図１０】
2020177711.tif 000012
【図１１】
2020177711.tif 000013